(57)【要約】【課題】ランプの交換を照明架台の前面部または側面部から行うことが可能であること。【解決手段】照明装置１０１は、ランプ１１を保持するとともに、照明架台１の前面部に設けられた開口部１ａを介して、ランプ１１を標本下に挿脱自在に配設するランプ配設機構１０２を備える。ランプ配設機構１０２は、照明架台４１に固定された回動軸１４と、回動軸１４に対してその周方向に回動自在に取り付けられた保持部１３と、保持部１３の先端部に保持されたランプソケット１２と、保持部１３の側面部に固定されたツマミ１５とを用いて構成され、ランプソケット１２に保持したランプ１１を回動させるとともに、開口部１ａを介して標本ＳＰ下に挿脱自在に配設する。【選択図】        図２
2007256659.tif 000002
【特許請求の範囲】
【請求項１】
照明架台の内部に設けられる光源によって、該照明架台の上部に配置される標本を照明する照明装置において、
前記光源を保持するとともに、前記照明架台の前面部または側面部に設けられた開口部を介して、前記光源を前記標本下に挿脱自在に配設する光源配設手段を備えたことを特徴とする照明装置。
【請求項２】
前記光源配設手段は、前記照明架台に固定された回動軸を有し、該回動軸周りに前記光源を回動させるとともに、前記開口部を介して前記光源を前記標本下に挿脱自在に配設することを特徴とする請求項１に記載の照明装置。
【請求項３】
前記光源配設手段は、前記照明架台に固定されたガイドを有し、該ガイドに沿って前記光源を移動させるとともに、前記開口部を介して前記光源を前記標本下に挿脱自在に配設することを特徴とする請求項１に記載の照明装置。
【請求項４】
前記光源に電力を供給する電力供給手段を備え、
前記光源配設手段は、少なくとも前記光源を前記標本下に配設した場合、前記電力供給手段に電気的に導通される接続手段を介して前記光源を保持することを特徴とする請求項１〜３のいずれか一つに記載の照明装置。
【請求項５】
前記光源が前記標本下に配設されたか否かを検知する光源検知手段を備え、
前記電力供給手段は、前記光源検知手段の検知結果に応じて、前記光源に電力を供給することを特徴とする請求項４に記載の照明装置。
【請求項６】
前記光源配設手段は、複数の前記光源を保持するとともに、該複数の光源を前記標本下に交換自在に配設することを特徴とする請求項１〜５のいずれか一つに記載の照明装置。
【請求項７】
前記照明架台に固定され、前記光源が前記標本下に配設された場合、前記光源配設手段の動きを制限する制限手段を備えたことを特徴とする請求項１〜６のいずれか一つに記載の照明装置。
【請求項８】
請求項１〜７のいずれか一つに記載の照明装置を備えたことを特徴とする実体顕微鏡。
【発明の詳細な説明】
【技術分野】
【０００１】
本発明は、照明架台の内部に設けられる光源によって、照明架台の上部に配置される標本を照明する照明装置および実体顕微鏡に関する。
【背景技術】
【０００２】
標本の微細な部分を立体的に観察することができる実体顕微鏡は、例えば製造業では精密な加工を確実に行う手段として、あるいは医療の現場では正確な患部の観察を行うとともに手術の確実性を増し患者の安全性を高める手段として用いられるなど、広く利用されている。
【０００３】
従来、実体顕微鏡では、照明架台の背面部にランプハウスを設け、このランプハウスの内部に照明光源としてのランプを配置することで、装置背面部からランプ交換を行うようにしている（例えば、特許文献１参照）。あるいは、標本直下のベース部上にランプを配置し、集光ユニットを一体に構成した蓋部材をランプの上部から取り外すことによってランプを露出させることで、装置前方からランプ交換を行うようにしている（例えば、特許文献２参照）。
【０００４】
【特許文献１】特開平１１−７２７１２号公報
【特許文献２】特開２００１−１３４１４号公報
【発明の開示】
【発明が解決しようとする課題】
【０００５】
ところが、特許文献１に記載の従来技術では、ランプが照明架台の背面部に設けられているため、ランプが発した光を、複数の光学素子からなる照明光学系を透過させた後、標本に照射させることとなる。このため、ランプが発した光は標本に照射されるまでに減衰され、効率的に利用されないばかりか、多数の光学素子が必要とされ、装置価格が高くなるという問題があった。また、ランプ交換を装置の背面部から行うようにしているため、作業者らは、ランプ交換時に実体顕微鏡の背面部にまで手を伸ばして作業を行うか、背面部に作業スペースが設けられていない場合には、実体顕微鏡そのものを移動させた後、交換作業を行わなければならないという問題があった。
【０００６】
一方、特許文献２に記載の従来技術では、ランプが標本の直下に配置されているため、ランプが発する光は効率的に利用されるものの、ランプ交換を行う場合、ランプとともに集光ユニット等の光学系を取り外す必要があるため、交換作業時の振動等によって標本に位置ずれが生じる恐れがあるという問題があった。また、この場合、標本の同一部位を観察し続けるには、ランプ交換後にその観察部位を再度探し出さなければならず、手間と時間とを浪費するという問題があった。さらに、この場合、標本の観察部位が微小であると、同一の観察部位を探し出すことができないこともあり、観察に支障をきたす恐れがあるという問題があった。他にも、照明架台上に標本を保持するための複雑な保持具を備えている場合や、標本周囲の温度、湿度、雰囲気等を一定に維持するための維持装置を備えている場合に、それら保持具や維持装置等をランプ交換のたびに着脱しなければならず、多大な手間と時間とを浪費するという問題があった。
【０００７】
本発明は、上記に鑑みてなされたものであって、標本下の照明架台の内部に設けられるランプの交換を照明架台の前面部または側面部から行うことが可能であるとともに、そのランプ交換を容易かつ安全に、簡易な構成で実現することができる照明装置および実体顕微鏡を提供することを目的とする。
【課題を解決するための手段】
【０００８】
上述した課題を解決し、目的を達成するために、請求項１にかかる照明装置は、照明架台の内部に設けられる光源によって、該照明架台の上部に配置される標本を照明する照明装置において、前記光源を保持するとともに、前記照明架台の前面部または側面部に設けられた開口部を介して、前記光源を前記標本下に挿脱自在に配設する光源配設手段を備えたことを特徴とする。
【０００９】
また、請求項２にかかる照明装置は、上記の発明において、前記光源配設手段は、前記照明架台に固定された回動軸を有し、該回動軸周りに前記光源を回動させるとともに、前記開口部を介して前記光源を前記標本下に挿脱自在に配設することを特徴とする。
【００１０】
また、請求項３にかかる照明装置は、上記の発明において、前記光源配設手段は、前記照明架台に固定されたガイドを有し、該ガイドに沿って前記光源を移動させるとともに、前記開口部を介して前記光源を前記標本下に挿脱自在に配設することを特徴とする。
【００１１】
また、請求項４にかかる照明装置は、上記の発明において、前記光源に電力を供給する電力供給手段を備え、前記光源配設手段は、少なくとも前記光源を前記標本下に配設した場合、前記電力供給手段に電気的に導通される接続手段を介して前記光源を保持することを特徴とする。
【００１２】
また、請求項５にかかる照明装置は、上記の発明において、  前記光源が前記標本下に配設されたか否かを検知する光源検知手段を備え、前記電力供給手段は、前記光源検知手段の検知結果に応じて、前記光源に電力を供給することを特徴とする。
【００１３】
また、請求項６にかかる照明装置は、上記の発明において、前記光源配設手段は、複数の前記光源を保持するとともに、該複数の光源を前記標本下に交換自在に配設することを特徴とする。
【００１４】
また、請求項７にかかる照明装置は、上記の発明において、前記照明架台に固定され、前記光源が前記標本下に配設された場合、前記光源配設手段の動きを制限する制限手段を備えたことを特徴とする。
【００１５】
また、請求項８にかかる実体顕微鏡は、上記のいずれか一つに記載の照明装置を備えたことを特徴とする。
【発明の効果】
【００１６】
本発明にかかる照明装置および実体顕微鏡によれば、標本下の照明架台の内部に設けられるランプの交換を照明架台の前面部または側面部から行うことが可能であるとともに、そのランプ交換を容易かつ安全に、簡易な構成で実現することができる。
【発明を実施するための最良の形態】
【００１７】
以下、添付図面を参照して、本発明にかかる照明装置および実体顕微鏡の好適な実施の形態を詳細に説明する。なお、この実施の形態によりこの発明が限定されるものではない。また、図面の記載において、同一部分には同一の符号を付している。さらに、参照する図面には、本発明にかかる照明装置および実体顕微鏡に対して便宜的に設定したＸＹ座標系を適宜付して示している。
【００１８】
（実施の形態１）
まず、本発明の実施の形態１にかかる照明装置および実体顕微鏡について説明する。図１は、本実施の形態１にかかる実体顕微鏡１００および照明装置１０１の要部構成を示す図である。図１に示すように、実体顕微鏡１００は、内部に照明光学系を有する照明装置１０１を備えるとともに、この照明装置１０１の筐体としての照明架台１上に、対物レンズ２、ズーム鏡体３、焦準機構４、鏡筒５および接眼レンズ６を備える。
【００１９】
ズーム鏡体３は、底部に対物レンズ２が取り付けられ、上部に鏡筒５および双眼の接眼レンズ６が搭載されるとともに、内部に図示しないズーム光学系が設けられている。このズーム光学系は、ズーム鏡体３の側面部に突設されたズームハンドル３ａの回動操作に応じて、ズーム倍率を連続的に変化させる。ズーム鏡体３は、焦準機構４を介して照明架台１上に設けられている。
【００２０】
焦準機構４は、照明架台１の支持部７に固定された固定部４ａと、固定部４ａに対して上下動自在に取り付けられた可動部４ｂとを用いて構成されている。固定部４ａと可動部４ｂとは図示しないラック・ピニオンによって係合されており、可動部４ｂは、その側面部に突設された焦準ハンドル４ｃの回動操作に連動し、固定部４ａに対して上下動する。これによって、焦準機構４は、可動部４ｂに取り付けられたズーム鏡体３とともに対物レンズ２、鏡筒５および接眼レンズ６を昇降移動させ、標本ＳＰに対して対物レンズ２の焦点合わせを行う。
【００２１】
標本ＳＰは、照明架台１の上面部に設けられたガラスプレート８上に載置され、対物レンズ２の光軸ＯＡ近傍に配置されるとともに、照明光学系としての照明レンズ９およびランプ１１を用いて透過照明される。照明された標本ＳＰは、対物レンズ２、ズーム鏡体３、鏡筒５および接眼レンズ６を介して観察される。なお、実体顕微鏡１００では、鏡筒５の上部に図示しないＣＣＤカメラ等の撮像装置が着脱自在に搭載可能であり、この撮像装置によっても標本ＳＰを撮像して観察することができる。
【００２２】
つづいて、図１および図２を参照し、照明装置１０１について説明する。図２は、照明装置１０１内の要部構成を示す平面図である。図１および図２に示すように、照明装置１０１は、照明架台１の内部に、照明光学系として照明レンズ９およびランプ１１を備える。また、ランプ１１を保持するとともに、照明架台１の前面部（Ｙ軸負側）に設けられた開口部１ａを介して、ランプ１１を標本ＳＰ下に挿脱自在に配設するランプ配設機構１０２を備える。
【００２３】
ランプ配設機構１０２は、ランプソケット１２、保持部１３、回動軸１４およびツマミ１５を用いて構成されている。回動軸１４は、照明架台１の内部に固定され、Ｖ字状の保持部１３は、回動軸１４に対し、その周方向に回動自在に取り付けられている。また、ランプソケット１２は、保持部１３の一方の先端部に保持され、ツマミ１５は、ランプ１１が標本ＳＰ下に配設された状態で開口部１ａから突出するように、保持部１３のＹ軸負側の側面部に固定されている。
【００２４】
かかる構成によって、ランプ配設機構１０２は、ツマミ１５の押し引き操作に連動し、回動軸１４の周りに保持部１３を回動させることができるとともに、ランプソケット１２に保持したランプ１１を、開口部１ａを介して標本ＳＰ下に挿脱自在に配設することができる。このため、照明装置１０１では、ランプ配設機構１０２によってランプ１１を照明架台１の前面部から容易に取り出すことができ、ランプ交換を容易に行うことができる。
【００２５】
また、照明架台１の内部には、制限部材１６が設けられている。この制限部材１６は、ランプ１１が標本ＳＰ下から奥に押し込まれないように保持部１３の回動を制限する。これによって、ランプ配設機構１０２では、容易に、かつ再現性よくランプ１１を標本ＳＰ下に配設することができる。
【００２６】
さらに、照明架台１の内部には、ランプ１１に電力を供給する電力供給手段としての電気基盤１７が設けられている。電気基盤１７は、ケーブル１７ａを介してランプソケット１２に電気的に接続され、ランプソケット１２を介してランプ１１に電気的に導通されている。このため、照明装置１０１では、電気基盤１７からランプ１１に電力を供給し、ランプ１１を点灯することで、フレネルレンズ等の照明レンズ９を介して標本ＳＰを照明することができる。なお、ケーブル１７ａは、ランプ１１を照明架台１の外部に取り出す際に保持部１３の動作を制限しない程度に十分な長さを有している。
【００２７】
なお、ランプ配設機構１０２には、ランプ１１が標本ＳＰ下に配設された場合に開口部１ａを塞ぐ蓋部材１８が一体に設けられている。このため、照明装置１０１では、ランプ１１が発し光を開口部１ａから外部に漏れ出さないようにすることができる。ただし、この蓋部材１８は、ランプ配設機構１０２と一体であることに限定されるものではなく、ランプ配設機構１０２と別体で開口部１ａを塞ぐものであってもよい。
【００２８】
以上説明したように、本実施の形態１にかかる実体顕微鏡１００および照明装置１０１では、ランプ１１を保持するとともに、照明架台１の前面部に設けられた開口部１ａを介して、ランプ１１を標本ＳＰ下に挿脱自在に配設するランプ配設機構１０２を備えているため、標本ＳＰ下の照明架台１の内部に設けられるランプ１１の交換を照明架台１の前面部から行うことが可能であるとともに、そのランプ交換を容易かつ安全に行うことができる。
【００２９】
また、本実施の形態１にかかる実体顕微鏡１００および照明装置１０１では、ランプ配設機構１０２は、照明架台１に固定された回動軸１４を有し、この回動軸１４の周りにランプ１１を回動させるとともに、開口部１ａを介してランプ１１を標本ＳＰ下に挿脱自在に配設するようにしているため、ランプ１１の交換を簡易な構成で実現することができる。
【００３０】
（実施の形態２）
つぎに、本発明の実施の形態２にかかる照明装置および実体顕微鏡について説明する。上述した実施の形態１では、ランプ配設機構１０２を回動させてランプ１１を配設するようにしていたが、本実施の形態２では、ランプ配設機構を直進動作させてランプを配設するようにしている。
【００３１】
図３は、本実施の形態２にかかる実体顕微鏡が備える照明装置２０１内の要部構成を示す平面図である。図３に示すように、照明装置２０１は、Ｘ軸負側の側面部に開口部２１ａが形成された照明架台２１を備え、この照明架台２１の内部に、照明装置１０１と同様に照明レンズ９を備える。また、照明装置２０１は、ランプ１１を保持するとともに、開口部２１ａを介してランプ１１を標本ＳＰ下に挿脱自在に配設するランプ配設機構２０２を備える。なお、本実施の形態２にかかる実体顕微鏡は、実体顕微鏡１００の構成をもとに、照明装置１０１に替えて照明装置２０１を備えるものである。
【００３２】
ランプ配設機構２０２は、ランプソケット２２、保持部２３、ガイド２４およびツマミ１５を用いて構成されている。ガイド２４は、そのガイド面をＸ軸に平行にして、照明架台２１の内部に固定されている。棒状の保持部２３は、Ｙ軸負側の側面部がガイド２４に対し、そのガイド面に沿って直進動作可能なように取り付けられている。この保持部２３とガイド２４との接続は、例えばアリおよびアリ溝によって実現される。ランプソケット２２は、保持部１３のＸ軸正側の先端部に保持されている。ツマミ１５は、ランプ１１が標本ＳＰ下に配設された状態で開口部２１ａから突出するように、保持部２３のＸ軸負側の先端部に固定されている。
【００３３】
かかる構成によって、ランプ配設機構２０２は、ツマミ１５の押し引き操作に連動し、ガイド２４のガイド面に沿って保持部２３を直進動作させることができるとともに、ランプソケット２２に保持したランプ１１を、開口部２１ａを介して標本ＳＰ下に挿脱自在に配設することができる。このため、照明装置２０１では、ランプ配設機構２０２によってランプ１１を照明架台２１の側面部から容易に取り出すことができ、ランプ交換を容易に行うことができる。
【００３４】
また、ランプ配設機構２０２は、ケーブル２５ａを介してランプソケット２２に電気的に接続された移動コネクタ２５を備える。この移動コネクタ２５は、保持部２３のＹ軸正側の側面部上の所定位置に固定され、保持部２３とともにガイド２４に沿って直進移動する。これに対応して、照明架台２１の内部には、電気基盤２７および固定コネクタ２８が設けられている。固定コネクタ２８は、照明架台２１に固定され、ケーブル２７ａを介して電気基盤２７に電気的に接続されるとともに、ランプ１１が標本ＳＰ下に配設された場合、移動コネクタ２５に対して電気的に接続される。
【００３５】
このため、照明装置２０１では、ランプ１１が標本ＳＰ下に配設された場合、ランプ１１と電気基盤２７とを電気的に導通させ、電気基盤２７からランプ１１に電力を供給することで、標本ＳＰを照明することができる。また、照明装置２０１では、ランプ１１が標本ＳＰ下からＸ軸負方向に引き出された場合、移動コネクタ２５が固定コネクタ２８から切り離されるため、ランプ１１への電力供給を遮断し、ランプ１１を消灯させることができる。このため、照明装置２０１では、作業者等がランプ１１から発せられる光を直視するなどの恐れがなく、安全にランプ交換を行うことができるとともに、無駄な電力消費、ランプ１１の消耗等を抑制することができる。
【００３６】
さらに、ランプ配設機構２０２は、移動コネクタ２５の近傍で保持部２３の側面部に突起するように固定された移動ピン２６を備える。移動ピン２６は、保持部２３とともにガイド２４に沿って直進移動する。これに対応して、照明架台２１の内部には、光源検知手段としてのインターロックスイッチ２９が設けられている。インターロックスイッチ２９は、ランプ１１が標本ＳＰ下に配設された場合に移動ピン２６のＹ軸正側の先端部に対向するように、照明架台２１に固定されている。インターロックスイッチ２９は、例えばフォトインタラプタ、ホールセンサ等を用いて実現され、移動ピン２６の有無を検知することで、ランプ１１が標本ＳＰ下に配設されたか否かを検知する。
【００３７】
かかるインターロックスイッチ２９は、ケーブル２７ｂを介して電気基盤２７に電気的に接続されており、電気基盤２７から電力供給を受けるとともに、移動ピン２６の検知結果を電気基盤２７に出力する。電気基盤２７は、この検知結果に応じて、ランプ１１に電力を供給する。すなわち、電気基盤２７は、インターロックスイッチ２９が移動ピン２６を検知した場合にランプ１１に電力を供給し、移動ピン２６が検知されていないときにはランプ１１への電力供給を停止する。
【００３８】
このため、照明装置２０１では、インターロックスイッチ２９によってランプ１１の配設の有無を検知することで、ランプ１１が標本ＳＰ下に配設されていない場合に電気基盤２７からの電力供給を停止することができ、漏電等の恐れがなく一層安全にランプ交換を行うことができるとともに、無駄な電力消費を削減することができる。
【００３９】
なお、固定コネクタ２８は、ランプ１１が標本ＳＰ下から奥に押し込まれないように保持部２３の直進動作を制限する制限部材として作用する。このため、ランプ配設機構２０２では、容易に、かつ再現性よくランプ１１を標本ＳＰ下に配設することができる。
【００４０】
また、ランプ配設機構２０２には、ランプ１１が標本ＳＰ下に配設された場合に開口部２１ａを塞ぐ蓋部材３０が一体に設けられている。これによって、照明装置２０１では、ランプ１１が発した光を開口部２１ａから外部に漏れ出さないようにすることができる。ただし、この蓋部材３０は、ランプ配設機構２０２と一体であることに限定されるものではなく、ランプ配設機構１０２と別体で開口部２１ａを塞ぐものであってもよい。
【００４１】
以上説明したように、本実施の形態２にかかる実体顕微鏡および照明装置２０１では、ランプ１１を保持するとともに、照明架台２１の側面部に設けられた開口部２１ａを介して、ランプ１１を標本ＳＰ下に挿脱自在に配設するランプ配設機構２０２を備えているため、標本ＳＰ下の照明架台２１の内部に設けられるランプ１１の交換を照明架台２１の側面部から行うことが可能であるとともに、そのランプ交換を容易かつ安全に行うことができる。
【００４２】
また、本実施の形態２にかかる実体顕微鏡および照明装置２０１では、ランプ配設機構２０２は、照明架台２１に固定されたガイド２４を有し、このガイド２４に沿ってランプ１１を移動させるとともに、開口部２１ａを介してランプ１１を標本ＳＰ下に挿脱自在に配設するようにしているため、ランプ１１の交換を簡易な構成で実現することができる。
【００４３】
（実施の形態３）
つぎに、本発明の実施の形態３にかかる照明装置および実体顕微鏡について説明する。上述した実施の形態１および２では、照明装置が単一のランプ１１を標本ＳＰ下に配設するようにしていたが、本実施の形態３では、複数のランプを切換自在に配設するようにしている。
【００４４】
図４は、本実施の形態３にかかる実体顕微鏡が備える照明装置３０１内の要部構成を示す平面図である。図４に示すように、照明装置３０１は、Ｘ軸負側の側面部に開口部４１ａが形成された照明架台４１を備え、この照明架台４１の内部に、照明装置１０１と同様に照明レンズ９を備える。また、照明装置３０１は、ランプ１１Ａ〜１１Ｃを保持するとともに、この各ランプを開口部４１ａを介して標本ＳＰ下に挿脱自在に配設するランプ配設機構３０２を備える。なお、本実施の形態３にかかる実体顕微鏡は、実体顕微鏡１００の構成をもとに、照明装置１０１に替えて照明装置３０１を備えるものである。
【００４５】
ランプ配設機構３０２は、ランプソケット２２Ａ〜２２Ｃ、保持部４３、ガイド４４およびツマミ１５を用いて構成されている。ガイド４４は、そのガイド面をＸ軸に平行にして、照明架台４１の内部に固定されている。棒状の保持部４３は、底面部がガイド４４に対し、そのガイド面に沿って直進動作可能なように取り付けられている。この保持部４３とガイド４４との接続は、例えばアリおよびアリ溝によって実現される。複数のランプソケット２２Ａ〜２２Ｃは、この順に配列され、保持部４３のＹ軸負側の側面部に保持されている。ツマミ１５は、ランプ１１Ａ〜１１Ｃが各々標本ＳＰ下に配設された状態で開口部４１ａから突出するように、保持部４３のＸ軸負側の先端部に固定されている。
【００４６】
かかる構成によって、ランプ配設機構３０２は、ツマミ１５の押し引き操作に連動し、ガイド４４のガイド面に沿って保持部４３を直進動作させることができるとともに、ランプソケット２２Ａ〜２２Ｃに各々保持したランプ１１Ａ〜１１Ｃを、開口部４１ａを介して標本ＳＰ下に挿脱自在に配設することができる。このため、照明装置３０１では、ランプ配設機構３０２によってランプ１１Ａ〜１１Ｃを照明架台４１の側面部から容易に取り出すことができ、ランプ交換を容易に行うことができるとともに、ランプ１１Ａ〜１１Ｃの相互切換を容易に行うことができる。
【００４７】
具体的には、例えばランプ１１Ａ〜１１Ｃを異なる波長域の光を発するランプとした場合、本実施の形態４にかかる実体顕微鏡では、標本ＳＰの観察条件に応じて容易に、かつ即時にランプ１１Ａ〜１１Ｃを切り換えることができ、所望の観察を行うことができる。また、例えばランプ１１Ａ〜１１Ｃを同一仕様のランプとした場合には、使用中のランプが破損もしくは消耗した際に即座にランプ切換を行うことができ、所望の観察を継続することができる。
【００４８】
なお、開口部４１ａのＹ軸正側の側面部には、クリック機構としての突起部４２が設けられ、保持部４３には、突起部４２に対する受容部としての凹部４３ａ〜４３ｃが設けられている。突起部４２は、図示しない弾性部材が内部に設けられており、外部から受ける押圧力に応じて突起方向に伸縮動作を行う。凹部４３ａ〜４３ｃは、それぞれランプ１１Ａ〜１１Ｃが標本ＳＰ下に配設された場合に突起部４２と対向し、突起部４２の先端を受容するように設けられている。これによって、ランプ配設機構３０２では、容易かつ確実に、また再現性よくランプ１１Ａ〜１１Ｃをそれぞれ標本ＳＰ下に配設することができる。なお、突起部４２は、後述する移動コネクタ４５に対して異なる高さ（図４中、紙面垂直方向の異なる位置）に設けられている。
【００４９】
また、ランプ配設機構３０２は、ケーブル４５ａ〜４５ｃを介してランプソケット２２Ａ〜２２Ｃに電気的に接続された移動コネクタ４５を備える。移動コネクタ４５は、保持部４３のＹ軸正側の側面部上で所定位置に固定され、保持部４３とともにガイド４４に沿って直進移動する。移動コネクタ４５におけるケーブル４５ａ〜４５ｃの先端部は、それぞれ電気的な接点４５ｐａ〜４５ｐｃに個別に接続されている（図５参照）。
【００５０】
これに対応して、照明架台４１の内部には、電気基盤４７、従動コネクタ４８および弾性部材５１が設けられている。従動コネクタ４８は、Ｘ軸負方向に押圧力を及ぼす弾性部材５１を介して照明架台４１に取り付けられている。このため、従動コネクタ４８は、保持部４３がランプ１１Ａ〜１１Ｃを標本ＳＰ下に配設するために直進動作する場合、つまり移動コネクタ４５が区間Ｌ内を移動する場合、移動コネクタ４５に押し当てられる。また、従動コネクタ４８は、３本の導通線４７ａａ〜４７ａｃを有するケーブル４７ａを介して電気基盤４７に電気的に接続されている。導通線４７ａａ〜４７ａｃは、従動コネクタ４８が移動コネクタ４５に押し当てられた場合、それぞれ接点４５ｐａ〜４５ｐｃを介してケーブル４５ａ〜４５ｃに電気的に接続される（図５参照）。
【００５１】
このため、照明装置３０１では、保持部４３がランプ１１Ａ〜１１Ｃを標本ＳＰ下に配設するために直進動作し、移動コネクタ４５が区間Ｌ内を移動する場合、ランプ１１Ａ〜１１Ｃと電気基盤４７とを電気的に導通させ、電気基盤４７から各ランプに電力を供給することで、標本ＳＰの照明を行うことができる。
【００５２】
また、照明架台４１の内部には、制限部材５２Ａが設けられている。制限部材５２Ａは、ランプ１１Ａが標本ＳＰ下からＸ軸負方向に引き出された場合、従動コネクタ４８の移動を制限することで、移動コネクタ４５と従動コネクタ４８との接続を切り離すことができる。これによって、照明装置３０１では、ランプ１１Ａが標本ＳＰ下からＸ軸負方向に引き出された場合、電気基盤４７からランプ１１Ａ〜１１Ｃへの電力供給を遮断し、各ランプを消灯させることができる。このため、照明装置３０１では、作業者等がランプ１１Ａ〜１１Ｃから発せられる光を直視するなどの恐れがなく、安全にランプ交換を行うことができるとともに、無駄な電力消費、ランプ１１Ａ〜１１Ｃの消耗等を抑制することができる。
【００５３】
さらに、照明架台４１の内部には、光源検知手段としてのインターロックスイッチ４９が設けられている。インターロックスイッチ４９は、ホール素子４９ａ，４９ｂを有し、このホール素子４９ａ，４９ｂが保持部４３のＹ軸正側の側面部に対向するように、照明架台４１に固定されている。これに対応して、保持部４３のＹ軸正側の側面部には、各々異なるパターンで２つの磁石が配列された磁石対４６Ａ〜４６Ｃが設けられている。この磁石対４６Ａ〜４６Ｃは、ランプ１１Ａ〜１１Ｃがそれぞれ標本ＳＰ下に配設された場合にホール素子４９ａ，４９ｂと対向する位置に設けられている。インターロックスイッチ４９は、磁石対４６Ａ〜４６Ｃの有無および配列パターンを識別して検知することで、ランプ１１Ａ〜１１Ｃが標本ＳＰ下に配設されたか否かを検知する。なお、インターロックスイッチ４９は、移動コネクタ４５に対して異なる高さ（図４中、紙面垂直方向の異なる位置）に設けられている。
【００５４】
かかるインターロックスイッチ４９は、ケーブル４７ｂを介して電気基盤４７に電気的に接続されており、電気基盤４７から電力供給を受けるとともに、磁石対４６Ａ〜４６Ｃの検知結果を電気基盤４７に出力する。電気基盤４７は、この検知結果に応じて、ランプ１１Ａ〜１１Ｃに電力を供給する。すなわち、電気基盤４７は、インターロックスイッチ４９が磁石対４６Ａを検知した場合、ランプ１１Ａに電力を供給する。同様に、インターロックスイッチ４９が磁石対４６Ｂ，４６Ｃを検知した場合、それぞれランプ１１Ｂ，１１Ｃに電力を供給する。また、インターロックスイッチ４９が磁石対４６Ａ〜４６Ｃのいずれも検知していない場合には、電気基盤４７は、ランプ１１Ａ〜１１Ｃへの電力供給を停止する。
【００５５】
具体的には、例えば図６に示すように、ランプ１１Ａ〜１１Ｃに対して、磁石対４６Ａ〜４６Ｃの配列パターンと、この磁石対４６Ａ〜４６Ｃを検知したホール素子４９ａ，４９ｂの出力パターンとが対応付けられる。図６では、「ランプＡ」〜「ランプＣ」は、それぞれランプ１１Ａ〜１１Ｃを示し、「ランプＯＦＦ」は、ランプ１１Ａ〜１１Ｃのいずれも検知しない場合を示している。また、「素子ａ」および「素子ｂ」は、それぞれホール素子４９ａ，４９ｂに示し、「○」および「−」は、それぞれホール素子４９ａまたは４９ｂからの出力の有無を示している。この出力の「○」は、磁石が検知されたことを意味する。さらに、「■」および「□」は、それぞれ磁石対中の磁石の有無を示している。
【００５６】
このようにして、照明装置３０１では、インターロックスイッチ４９によってランプ１１Ａ〜１１Ｃの配設の有無を検知することで、ランプ１１Ａ〜１１Ｃが標本ＳＰ下に配設されていない場合に電気基盤４７からの電力供給を停止することができ、漏電等の恐れがなく一層安全にランプ交換を行うことができるとともに、無駄な電力消費、ランプ１１Ａ〜１１Ｃの消耗等をさらに抑制することができる。
【００５７】
なお、照明架台４１の内部には、制限部材５２Ｂが設けられている。この制限部材５２Ｂは、ランプ１１Ｃが標本ＳＰ下から奥に押し込まれないように保持部４３の直進動作を制限する。制限部材５２Ｂは、例えば図４に示したように、ランプ１１Ｃが標本ＳＰ下に配設された場合の従動コネクタ４８’に対して、そのＸ軸正側の側面部が押し当てられるように照明架台４１に固定される。
【００５８】
また、照明架台４１には、ランプ１１Ａ〜１１Ｃのいずれかが標本ＳＰ下に配設された場合に開口部４１ａを塞ぐ蓋部材５０が着脱可能に設けられている。これによって、照明装置３０１では、ランプ１１Ａ〜１１Ｃが発した光を開口部４１ａから外部に漏れ出さないようにすることができる。ただし、この蓋部材５０は、ランプ配設機構３０２と別体であることに限定されるものではなく、例えばランプ配設機構３０２と一体に構成されるものであってもよい。
【００５９】
以上説明したように、本実施の形態３にかかる実体顕微鏡および照明装置３０１では、ランプ１１Ａ〜１１Ｃを保持するとともに、照明架台４１の側面部に設けられた開口部４１ａを介して、ランプ１１Ａ〜１１Ｃを標本ＳＰ下に挿脱自在に配設するランプ配設機構３０２を備えているため、標本ＳＰ下の照明架台４１の内部に設けられるランプ１１Ａ〜１１Ｃの交換および切り換えを照明架台４１の側面部から行うことが可能であるとともに、そのランプ交換および切り換えを容易かつ安全に行うことができる。
【００６０】
また、本実施の形態３にかかる実体顕微鏡および照明装置３０１では、ランプ配設機構３０２は、照明架台４１に固定されたガイド４４を有し、このガイド４４に沿ってランプ１１Ａ〜１１Ｃを移動させるとともに、開口部４１ａを介してランプ１１Ａ〜１１Ｃを各々標本ＳＰ下に挿脱自在に配設するようにしているため、ランプ１１Ａ〜１１Ｃの交換および切り換えを簡易な構成で実現することができる。
【００６１】
ここまで、本発明を実施する最良の形態を実施の形態１〜３として説明したが、本発明は、上述した実施の形態に限定されず、本発明の趣旨を逸脱しない範囲であれば、種々の変形が可能である。
【００６２】
例えば、上述した実施の形態１〜３では、照明装置１０１は、前面部からランプ交換を行うものとし、照明装置２０１，３０１は、側面部からランプ交換を行うものとして説明したが、ランプ交換を行うための方向性はこれに限定されず、前面部、右側面部および左側面部のいずれから行うものであってもよい。
【００６３】
また、上述した実施の形態１〜３では、ランプ配設機構１０２，２０２，３０２は、ツマミ１５の押し引き操作に応じて保持部１３，２３，４３を動作させるものとして説明したが、各保持部を電動駆動する機構を設けて自動的に動作させるようにしてもよい。
【００６４】
さらに、上述した実施の形態１〜３では、本発明にかかる照明装置を実体顕微鏡に適用するものとして説明したが、他の生物顕微鏡、工業顕微鏡等に適用することもできる。また、正立顕微鏡に限定されず、倒立顕微鏡に適用することもできる。
【図面の簡単な説明】
【００６５】
【図１】本発明の実施の形態１にかかる実体顕微鏡の構成を示す図である。
【図２】本発明の実施の形態１にかかる照明装置の構成を示す図である。
【図３】本発明の実施の形態２にかかる照明装置の構成を示す図である。
【図４】本発明の実施の形態３にかかる照明装置の構成を示す図である。
【図５】図４に示した保持部を拡大して示す図である。
【図６】図４に示したインターロックスイッチによる検出パターンの一例を示す図である。
【符号の説明】
【００６６】
１，２１，４１    照明架台
１ａ，２１ａ，４１ａ    開口部
２    対物レンズ
３    ズーム鏡筒
３ａ    ズームハンドル
４    焦準機構
４ａ    固定部
４ｂ    可動部
４ｃ    焦準ハンドル
５    鏡筒
６    接眼レンズ
７    支持部
８    ガラスプレート
９    照明レンズ
１１，１１Ａ〜１１Ｃ    ランプ
１２，２２，２２Ａ〜２２Ｃ    ランプソケット
１３，２３，４３    保持部
１４    回動軸
１５    ツマミ
１６，５２Ａ，５２Ｂ    制限部材
１７，２７，４７    電気基盤
１７ａ，２７ａ，２７ｂ，４７ａ，４７ｂ    ケーブル
１８，３０，５０    蓋部材
２４，４４    ガイド
２５，４５    移動コネクタ
２５ａ，４５ａ〜４５ｃ    ケーブル
２６    移動ピン
２８    固定コネクタ
２９，４９    インターロックスイッチ
４２    突起部
４３ａ〜４３ｃ    凹部
４５ｐａ〜４５ｐｃ    接点
４６Ａ〜４６Ｃ    磁石対
４７ａａ〜４７ａｃ    導通線
４８    従動コネクタ
５１    弾性部材
１００    実体顕微鏡
１０１，２０１，３０１    照明装置
１０２，２０２，３０２    ランプ配設機構
ＯＡ    光軸
ＳＰ    標本
【図１】
2007256659.tif 000003
【図２】
2007256659.tif 000004
【図３】
2007256659.tif 000005
【図４】
2007256659.tif 000006
【図５】
2007256659.tif 000007
【図６】
2007256659.tif 000008